(57)【特許請求の範囲】
【請求項１】
画像形成装置本体から排出されるシートを積載する排紙台であって、シートの端縁を規制するサイドフェンスを有する排紙台において、
上記サイドフェンスはそれぞれ、排出されてくるシートの側縁に向けて上方に空気を吹き出すための上向きの孔を、シートの排出方向に複数有し、上記排出方向の上流側の孔を下流側の孔よりも高い位置に設けたことを特徴とする排紙台。
【請求項２】
請求項１記載の排紙台において、上記孔に空気を送る空気送り手段を有することを特徴とする排紙台。
【請求項３】
請求項２記載の排紙台において、上記空気送り手段による空気の送り量を、シートの種類に応じて異ならせることを特徴とする排紙台。
【請求項４】
請求項２又は３記載の排紙台において、上記空気送り手段がファンであることを特徴とする排紙台。
【請求項５】
請求項２ないし４の何れか１つに記載の排紙台において、上記空気送り手段を、上記サイドフェンスの外側又は排紙台の下方に有することを特徴とする排紙台。
【請求項６】
請求項１ないし５の何れか１つに記載の排紙台において、上記複数の孔の一部又は全部を開閉する開閉手段を有することを特徴とする排紙台。
【請求項７】
請求項１ないし６の何れか１つに記載の排紙台を有する画像形成装置。
【発明の詳細な説明】
【０００１】
【発明の属する技術分野】
本発明は、排紙台に関し、詳しくは、積載するシートの揃えを良くするための構成をサイドフェンスに有する排紙台に関する。
【０００２】
【従来の技術】
一般的に、孔版印刷装置、プリンタ、複写機、ファクシミリ等の画像形成装置は、画像形成装置本体から排出されるシートを積載する排紙台を有している。排紙台は、積載するシートの揃えを良くする必要があり、そのためには排出され排紙台に落下してくるシートを、排出方向からみて下に突のＵ字状にすることが効果的であることが知られている。画像形成装置本体から排出され排紙台に落下してくるシートを、排出方向からみて下に凸のＵ字状にするため、落下しているシートの側縁に当接する部材をサイドフェンスに設けた構成が、特開平６−３２９３２７号公報において開示されている。同公報において開示された、サイドフェンスに設けられた部材は、シートの重さにより回動しシートの搬送路から退避する機能を有する可動部材である。
【０００３】
また画像形成装置本体から排出されるシートがすでに積載されている排紙台上のシートを擦ることにより、排紙台上のシートの形成画像を乱したり排出されるシートの先端が汚れたりシートの揃えを乱したりすることを防止するため、特開平５−１２４７６５号公報において、排紙台上のシートと排出されるシートとの間に空気を送り込む構成が提案されている。
【０００４】
【発明が解決しようとする課題】
しかし特開平６−３２９３２７号公報において開示されている可動部材を有していると、少数枚の薄いシートに画像を形成した場合、シートを排紙台から取り出す際に、シートが同部材に当たって傷ついてしまったり、シートはその大きさ、厚さによって重さが異なるにもかかわらず同部材の回転モーメントが一定であるために、同部材が回動せずシートが落下不良となり不揃えになってしまったり、同部材を上下方向に複数設けた場合には各部材間を落下している途中でシートが上に凸のＵ字状になったりする等の不具合がある。また特開平５−１２４７６５号公報において開示されている空気を送り込む構成は、落下中のシートを下に凸のＵ字状とするものではない。
【０００５】
本発明は、可動部材のような固体の部材を用いないことで、上述の不具合を解決し、落下してくるシートを排出方向からみて下に凸のＵ字状にして、シートの揃えを向上させる排紙台を提供することを目的とする。
【０００６】
【課題を解決するための手段】
上記目的を達成するため、請求項１記載の発明は、画像形成装置本体から排出されるシートを積載する排紙台であって、シートの端縁を規制するサイドフェンスを有する排紙台において、上記サイドフェンスはそれぞれ、排出されてくるシートの側縁に向けて上方に空気を吹き出すための上向きの孔を、シートの排出方向に複数有し、上記排出方向の上流側の孔を下流側の孔よりも高い位置に設けたことを特徴とする。
【０００８】
請求項２記載の発明は、請求項１記載の排紙台において、上記孔に空気を送る空気送り手段を有することを特徴とする。
【０００９】
請求項３記載の発明は、請求項２記載の排紙台において、上記空気送り手段による空気の送り量を、シートの種類に応じて異ならせることを特徴とする。
【００１０】
請求項４記載の発明は、請求項２又は３記載の排紙台において、上記空気送り手段がファンであることを特徴とする。
【００１１】
請求項５記載の発明は、請求項２ないし４の何れか１つに記載の排紙台において、上記空気送り手段を、上記サイドフェンスの外側又は排紙台の下方に有することを特徴とする。
【００１４】
請求項６記載の発明は、請求項１ないし５の何れか１つに記載の排紙台において、上記複数の孔の一部又は全部を開閉する開閉手段を有することを特徴とする。
請求項７記載の発明は、請求項１ないし６の何れか１つに記載の排紙台を有する画像形成装置にある。
【００１５】
【実施例】
図１に本発明を適用した排紙台を有する画像形成装置としての孔版印刷装置の全体構成を示す。孔版印刷装置１は、周知の感熱デジタル製版一体型孔版印刷装置の構造であり、製版済みのマスタ２を外周面に巻き付ける版胴３と、版胴３の右方上側に配置されマスタ２を製版する製版装置４と、版胴３の左方上側に配置され使用済みのマスタ２を版胴３から剥ぎ取り排版する排版装置５と、製版装置４の下方に配置され給紙トレイ６上に積載されたシートとしての印刷用紙７を給送する給紙装置８と、給紙装置８側から給送されてきた印刷用紙７を所定のタイミングで版胴３に搬送するレジストローラ９と、版胴３の下方に配置され給送されてくる印刷用紙７を版胴３上の製版済みのマスタ２に押し付けることにより印刷を行う印圧装置１０と、版胴３、製版装置４、排版装置５の上方に位置し原稿１１の画像を読み取るための原稿読取装置１２と、孔版印刷装置１の左方に配置され印圧装置１０で印刷された印刷済みの印刷用紙７を版胴３から剥ぎ取るためのエアナイフ１３及び排紙爪１４と、剥ぎ取られた印刷用紙７を搬送する排紙部１５と、排紙部１５によって搬送され孔版印刷装置１本体から排出される印刷用紙７を積載する排紙台１６と、孔版印刷装置１を操作し印刷を行うための図８に示す操作パネル４１とから主に構成されている。
【００１６】
版胴３は、周知の多孔性円筒状をなし、ドラム軸１７の周りに回動自在に支持されている。版胴３は、図示しないメインモータにより回転される。版胴３外周部の一母線上には、マスタ２の先端部をクランプする開閉自在なクランパ１８が設けられている。版胴３の内部には、版胴３の内周面から外周面に向けてインクを供給するためのインク供給手段１９が配設されている。マスタ２としては、ポリエステル等の熱可塑性樹脂フィルムに多孔質の支持体として和紙等を貼り合わせたものが用いられているが、これに限らず、非常に薄い実質的に熱可塑性樹脂フィルムのみからなるものを用いることも可能である。
【００１７】
先ず、オペレータが、原稿読取装置１２の図示しない原稿受け台に印刷すべき原稿１１をセットし、製版を起動させるための操作パネル４１上のスタートキー４３を押下すると、排版工程が版胴５において同様に実行される。版胴３が図中時計回り方向を示す矢印ａ方向と反対の反時計回り方向に回転し、版胴３の外周面に巻装されていた使用済みのマスタ２が版胴３の外周面から漸次剥され搬送されつつ排版装置５の排版ボックス２０内へ排出されることにより排版工程が終了する。
【００１８】
排版工程と並行して、原稿読取部１２が作動して原稿読み取りが行われる。この原稿読み取りに係る詳細な構成及び動作は、例えば公知の「縮小式の原稿読取方式」で行われるようになっており、原稿読み取りされた画像は最終的にＣＣＤ（電荷結合素子）等の光電変換素子からなる画像センサにより光電変換される。画像センサにより光電変換され電気信号は、図示しないアナログ／デジタル（Ａ／Ｄ）変換基板に送信されることによりデジタル画像信号に変換される。
【００１９】
原稿読み取り動作と並行して、デジタル信号化された画像信号に基づき、製版装置４において製版・給版工程が行われる。サーマルヘッド２１に押し付けられているプラテンローラ２２の回転により、マスタ２がマスタロール２３から引き出され、マスタ搬送路の下流側に搬送される。このように搬送されるマスタ２に対して、サーマルヘッド２１の主走査方向に一列に配列された多数の微小な発熱素子が、上記Ａ／Ｄ変換基板およびその後の製版制御基板（図示せず）で各種処理を施されて送られてくるデジタル画像信号に応じて各々選択的に発熱し、発熱した発熱素子に接触しているマスタ２の熱可塑性樹脂フィルムが溶融穿孔される。このようにして、画像情報に応じたマスタ２の位置選択的な溶融穿孔により、画像情報が穿孔パターンとして書き込まれる。
【００２０】
画像情報が書き込まれて製版された製版済みのマスタ２の先端は、送り出しローラ対２４の回転により版胴３の外周部側へ向かって送り出され、図示の給版位置状態にある版胴３の拡開したクランパ１８へ向かって移動する。このとき版胴３は、排版工程により使用済みのマスタ２を既に除去されている。製版済みのマスタ２の先端部が、一定のタイミングでクランパ１８によりクランプされると、版胴３は図中矢印ａ方向に回転しつつ外周面に製版済みのマスタ２を徐々に巻き付けていく。製版済みのマスタ２の後端部は、製版完了後に製版装置４に配設されている切断手段２５の作動により一定の長さに切断されて、マスタ２が版胴３の外周面に完全に巻装されると、いわゆる給版工程が終了する。
【００２１】
このようにして製版済みのマスタ２が版胴３の外周面にそれぞれ巻装されると製版・給版工程が終了し、印刷工程が開始される。給紙トレイ６上に積載された最上位の印刷用紙７を呼び出しコロ２６に接触するまで給紙トレイ６を図示しない周知の手段により上昇させておく。呼び出しコロ２６に接触している最上位の印刷用紙７が、呼び出しコロ２６の回転動作により搬送されると共に、分離コロ対２７により１枚に分離され、レジストローラ９に向けて給送される。このとき、搬送された印刷用紙７の先端は、レジストローラ９のニップ部直前部位に当接し、撓んだ状態で停止している。
【００２２】
版胴３は、印刷動作が始まると印刷の回転速度で回転され始める。版胴３の内周側では、インク供給ディストリビュータ（図示せず）からインク供給手段としてのインクローラ２８とドクタローラ２９との間に形成されたインク溜り３０にインクが供給され、そのインクはインクローラ２８とドクタローラ２９とが回転することによって混練され伸ばされると共に、インクローラ２８の外周面に均一に付着するようになる。インクの残量は、インク検知手段（例えば特開平５−２２９２４３号公報の図２参照）によって検知され、インクが少なくなったときには上記インク供給ディストリビュータから補給される。こうして版胴３の回転方向と同一方向に、かつ、版胴３の回転速度と同期して回転しながら内周面に転接するインクローラ２８により、インクが版胴３の内周側に供給される。
【００２３】
印圧装置１０は、インクローラ２８、プレスローラ３１、図示しないプレスローラブラケット、図示しないバネからなるプレスローラテンションおよび図示しないプレスローラカムによって主に構成されている。プレスローラ３１は、レジストローラ９によって所定のタイミングで給送されてきた印刷用紙７を版胴３に押し付けて印刷画像を印刷用紙７上に形成する押圧手段としての機能を有する。プレスローラ３１は、プレスローラブラケットの一方の揺動端において回転自在に支持されていて、プレスローラテンションおよびプレスローラカムからなる周知の機構により版胴３の外周面に接離自在に設けられている。
【００２４】
印刷用紙７が、レジストローラ９により版胴３の回転と同期した所定のタイミングで版胴３と、プレスローラ３１との間すなわち印刷部３２に給送されてくると、これに同期して版胴３の外周面側方に離間していたプレスローラ３１が揺動されることにより、版胴３の外周面に巻装されている製版済みのマスタ２に押し付けられる。これにより、版胴３の多孔部から滲み出たインクの粘性による付着力によって、製版済みのマスタ２が版胴３の外周面上に密着すると同時に、さらに製版済みのマスタ２の穿孔パターン部からインクが滲み出し、この滲み出たインクが印刷用紙７の表面に転移されて、所望の印刷画像が形成される。
【００２５】
印刷画像が形成された印刷用紙７は、その先端が排紙部１５近傍の所までくると、エアナイフ１３及び排紙爪１４によって版胴３から分離・剥離される。分離・剥離された印刷済みの印刷用紙７は、排紙部１５によって搬送され、排紙台１６に向けて飛翔する。このようにしていわゆる「版付け」、あるいは「試し刷り」が終了する。次に、操作パネル４１上のテンキー４２で印刷枚数を設定し、再度スタートキー４３を押下すると上記試し刷りと同様の工程で、給紙、印刷および排紙の各工程が設定した印刷枚数分繰り返して行なわれ、孔版印刷の全工程が終了する。
【００２６】
図２に示すように、排紙台１６は、印刷用紙７を積載する底板３３と、底板３３に対し印刷用紙の幅に応じて摺動可能に取り付けられた印刷用紙７の端縁を規制する一対のサイドフェンス３４と、印刷用紙７の前端を規制するエンドプレート３５とを有している。サイドフェンス３４はそれぞれ、排出されてくる印刷用紙７の側縁に向けて上方に空気を吹き出すための上向きの孔３６を有している。孔３６はそれぞれのサイドフェンス３６に、矢印ｂで示す印刷用紙７の排出方向に複数、具体的には３列形成されており、排出方向上流側の列をなす孔３６を下流側の列をなす孔３６よりもｈだけ高い位置に設けている。底板３３の底面は、鉛直方向をなす孔版印刷装置１の側縁に対し、鋭角θをなしている。
【００２７】
図３に示すように、最上位の孔３６’は排紙部１５の用紙搬送面よりもＹだけ下方に位置しておりこの孔３６’が印刷用紙７の側縁に最初に空気を当てるようになっている。図３、図４に示すように、サイドフェンス３４の外側には、孔３６を覆うカバー３７がサイドフェンス３４と一体に形成されており（図１、２においては省略）、サイドフェンス３４との間で図４にのみ示す密閉された空間３８を形成している。図４に示すように、孔３６は上向きであり、落下してくる印刷用紙７の側縁に下方から空気が当たるようになっている。
【００２８】
図５に示すように、底板３３の下面には空気送り手段としてのファン３８が固定されており、ファン３８によって発生した空気流は分岐装置３９によりパイプ４０、４０に分流され、空間３８に流入し、孔３６から吹き出すようになっている。図６に示すように、ファン３８はサイドフェンスの外側に設けても良く、空気送り手段にはポンプを用いてもよい。
【００２９】
図７に示すように、ファン３８による空気の送り量は印刷用紙７の厚さに応じて可変である。印刷用紙７の厚さが大きいほどファン３８の駆動力の強さを強くして空気流の強さを大きく、すなわち風速を大きくし、空気の送り量を多くしている。但し、印刷用紙７の厚さが１００ｇ／ｍ2以上の厚紙である場合には、自重が大きく良好に排出、積載されるため、印刷用紙７を下に凸のＵ字状にする必要がないので、ファン３８を停止する。風速は、孔の径が６ｍｍの場合におけるものを示している。本実施例においては、印刷用紙７の種類として、厚さを空気の送り量のパラメータとしているが、印刷用紙７の大きさをパラメータとしてもよいし、シートとしてＯＨＰシートを使用する場合など、その材質をパラメータとすることもできるし、これらを適宜組み合わせてパラメータとしてもよい。
【００３０】
空気送り量を決定するパラメータとして印刷用紙７の厚さを用いる場合には、印刷用紙７の厚さに関する情報として、操作パネル４１において用紙選択を行う図８に示す用紙選択キー４４による情報を用いることができる。用紙選択キー４４は給紙トレイ６に載置された最上位の印刷用紙７への呼出しコロ２６の当接圧いわゆる給紙圧を設定するものであるが、用紙選択キー４４による入力データを、空気送り量を決定するパラメータとしても使用する。
【００３１】
具体的には、図１０に示すように、用紙選択キー４４からの入力を制御手段としてのＣＰＵ４５がパルス発生装置４６によるＤＣモータであるファンモータ４７の駆動を電気的に制御する。ファン３８の強さを強くする場合には、パルスの発生時間ｔを長し、弱くする場合には、ｔを短くする。用紙選択キー４４による用紙選択は、スタートキー４３の押下に先立って行うものである。
【００３２】
本実施例における排紙台１６は以上のような構成であるから、用紙選択キー４４による用紙選択後、スタートキー４３が押下されると、上述のように排版、製版、印刷が開始され、これと同時に、印刷用紙７が厚紙である場合を除き、ファン３８が駆動される。ファン３８による空気の送り量は、用紙選択キー４４による用紙選択によって決定され、印刷用紙７が厚紙である場合を除き、孔版印刷装置１本体側から飛翔してきた印刷用紙７の側縁に適当な量の空気を送り、図５に示すように、かりに孔版印刷装置１本体側から飛翔してきた印刷用紙７が上に凸のＵ字状をなしていても、印刷用紙７の両側縁に吹き付けられる空気によって、落下中において、印刷用紙７を下に凸のＵ字状とする。
【００３３】
図２等に示すように、孔３６は、排出方向下流側の列の方が低い位置にあるので、印刷用紙７は、その先端が水平面に対して下方に位置する斜めの状態で滑降していき、エンドプレート３５に当接する。エンドプレート３５に当接した印刷用紙７は、下に凸のＵ字状をたもったままエンドプレート３５に沿って落下し、整然と底板３３上に積載される。所望の枚数の印刷が行われた後、最後の印刷用紙７が排紙台１６上に積載されるために必要な時間が経過すると、ファン３８は停止する。
【００３４】
図１１、図１２に本発明を適用した排紙台の他の実施例を示す。本実施例は孔３６が２列形成されていること、それぞれの列の孔を開閉するための開閉手段としてのシャッタ４８、４９を有していることのみ上述の実施例と異なるので上述の実施例と同様の構成については同一の符号を付するに留める。シャッタ４８、４９はそれぞれ、孔３６に対応した位置にその径方向に形成された貫通孔４８ａ、４９ａを有する円柱状の部材であり、図示しない電動の駆動手段により矢印ｃ方向に回転駆動される。シャッタ４８、４９はそれぞれ独立に回転駆動され、貫通孔４８ａ、４９ａが孔３６に連通したときにのみ孔３６からの空気の吹き出しを可能にする。印刷用紙７のサイズが小さいとき等においては、孔３６からの空気の吹き出しが、印刷用紙７がエンドプレート３５に沿って落下することの妨げとなる場合があるが、シャッタ４８、４９を選択的に回転駆動し、空気の吹き出しの有無を列単位で制御することにより、不要な空気吹き出し口を閉鎖して印刷用紙７の落下形態を制御して良好に落下させることができる。
【００３５】
以上実施例を説明したが、孔版印刷装置１を構成する上記各装置等の構成およびその配置状態は、あくまでもその一例を示したものであり、他の周知の装置および種々の配置状態をもって構成してもよいことはいうまでもない。例えば、孔版印刷装置１は、上記したような感熱デジタル製版一体型孔版印刷装置を構成するものに限らず、例えば装置本体と別体に配設された製版給版装置あるいは排版装置によってマスタを製版し給版したり、あるいは排版したりしてもよく、製版装置４および排版装置５を上記装置本体に必ずしも具備していなくてもよい。また、製版するためのデータは、上記したように原稿読取装置で読み取ったデータでも、あるいはコンピュータ等で作成されたデータであってもよい。
【００３６】
また、版胴の数が２つ以上の複胴式としてフルカラー印刷を含む多色印刷を行うこともできるし、押圧手段としては、本実施例ではプレスローラを用いたものを示したが、例えば特開平９−１０４１５８号号公報に記載の圧胴を用いても良い。排紙台を具備する画像形成装置としては、孔版印刷装置に限らず、周知のプリンター、複写機、ファクシミリ等が挙げられる。
【００３７】
孔は１列以上、１列に１つ以上設けられればよいものである。開閉手段は円柱状でなく、板状であっても良く、板状の場合はこれを変位することにより孔の開閉を行うことができる。１列に孔が複数ある場合であっても、開閉手段により一部の孔のみを塞ぐようにしてもよい。孔が複数の列をなすように形成されている場合でも、開閉手段を一部の列のみに対応して設けてもよい。開閉手段による孔の開閉は、印刷用紙のサイズでなく、厚さや材質によって決定してもよい。開閉手段は電動でなく手動でもよい。
【００３８】
【発明の効果】
請求項１記載の発明によれば、画像形成装置本体から排出されるシートを積載する排紙台であって、シートの端縁を規制するサイドフェンスを有する排紙台において、上記サイドフェンスはそれぞれ、排出されてくるシートの側縁に向けて上方に空気を吹き出すための上向きの孔を、シートの排出方向に複数有し、上記排出方向の上流側の孔を下流側の孔よりも高い位置に設けたので、空気が孔から上方に吹き出され、シートの側縁に所定の長さにわたって空気が吹き付けられ、シートを全体的に下に凸のＵ字状とすることができるとともにシートをかかる形状とする際に傷つけることがなく、またシートを下に凸のＵ字状としつつその先端が水平面に対して下方に位置する斜めの状態で安定して落下させることができ、揃えを良くして整然と積載することができ、さらに積載されたシートの取り出し時にシートを傷つけることがない排紙台を提供することができる。
【００４０】
請求項２記載の発明によれば、請求項１記載の排紙台において、上記孔に空気を送る空気送り手段を有するので、空気送り手段の一体化が可能な排紙台を提供することができる。
【００４１】
請求項３記載の発明によれば、請求項２記載の排紙台において、上記空気送り手段による空気の送り量を、シートの種類に応じて異ならせるので、上述の可動部材のような回転モーメントが一定である場合のシートの落下不良を防止して、シートの厚さ、大きさ、材質に応じて空気の送り量を設定でき、シートを確実に下に凸のＵ字状とすることができる。また、下に凸の状態で落下させずとも良好に積載できる厚紙等のシートである場合には空気の送り量をゼロにして空気流を発生させるためのエネルギーを節約でき空気の吹き出し音や空気送り手段の稼働音を低減できるとともに、過剰の空気によりシートの落下が不安定になることを防止できる。これにより、最小の消費エネルギーでシートを安定して落下させることができ、揃えを良くして整然と積載することができる、騒音を抑制した排紙台を提供することができる。
【００４２】
請求項４記載の発明によれば、請求項２又は３記載の排紙台において、上記空気送り手段がファンであるので、比較的容易に所望の量の空気流を発生させることができるため、シートを安定して落下させることができ、揃えを良くして整然と積載することができる、比較的簡単な構成で安価の排紙台を提供することができる。
【００４３】
請求項５記載の発明によれば、請求項２ないし４の何れか１つに記載の排紙台において、上記空気送り手段を、上記サイドフェンスの外側又は排紙台の下方に有するので、空気送り手段の設置、メンテナンスを比較的容易に行うことができるとともに、設置スペースが節約できる排紙台を提供することができる。
【００４６】
請求項６記載の発明によれば、請求項１ないし５の何れか１つに記載の排紙台において、上記複数の孔の一部又は全部を開閉する開閉手段を有するので、シートのサイズが小さいとき等における、孔からの空気の吹き出しがシートの落下の妨げとなることを防止し、空気の吹き出しの有無を部分的あるいは全体的に制御することにより、不要な空気吹き出し口を閉鎖してシートの落下形態を制御し、シートを良好に落下させることができるから、シートの落下が不安定になることを防止し、安定して落下させることができ、揃えを良くして整然と積載することができる排紙台を提供することができる。
【図面の簡単な説明】
【図１】本発明が適用された排紙台及びこれを有する画像形成装置としての孔版印刷装置の概要を示す図である。
【図２】図１に示した排紙台の詳細を示す側面図である。
【図３】図１に示した排紙台の詳細を示す斜視図である。
【図４】孔の形成態様及び空気の流れを示す断面図である。
【図５】空気送り手段及びシートの落下態様を示す概略正面図である。
【図６】排紙台の詳細を示す正面図である。
【図７】空気送り手段による空気の送り料をシートの種類によって異ならせる態様を示す相関図である。
【図８】図１に示した孔版印刷装置の操作パネルを示す概略図である。
【図９】図８に示した用紙選択キー４４の詳細を示す概略図である。
【図１０】空気送り手段による空気の送り量の制御の態様を示す概念図である。
【図１１】開閉手段を示す平断面図である。
【図１２】開閉手段を示す側断面図である。
【符号の説明】
１    画像形成装置
７    シート
１６    排紙台
３４    サイドフェンス
３６    孔
３８    空気送り手段としてのファン
４８、４９    開閉手段
【図１】
0004068734.tif 000002
【図２】
0004068734.tif 000003
【図３】
0004068734.tif 000004
【図４】
0004068734.tif 000005
【図５】
0004068734.tif 000006
【図６】
0004068734.tif 000007
【図７】
0004068734.tif 000008
【図８】
0004068734.tif 000009
【図９】
0004068734.tif 000010
【図１０】
0004068734.tif 000011
【図１１】
0004068734.tif 000012
【図１２】
0004068734.tif 000013